(57)【要約】【課題】  小型化及び記録媒体カートリッジのホルダーからのイジェクト動作の信頼性の向上を図る。【解決手段】  ホルダー８の一方の側面部１０１ｂに記録媒体カートリッジの挿入方向及び排出方向に移動自在に支持されたイジェクトレバー３７と、該イジェクトレバーを上記排出方向へ付勢する付勢バネ４８とを設け、イジェクトレバーに、ホルダーの上記一方の側面部に支持される被支持面部４０と該被支持面部から突出され記録媒体カートリッジに形成された係合溝１０４に挿入され該係合溝の内部に設けられた係合部１０５に係合される係合突部４２とを設け、記録媒体カートリッジがホルダーに挿入されたときに記録媒体カートリッジのホルダー内での移動に伴ってイジェクトレバーを上記挿入方向へ移動させ、係合突部が記録媒体カートリッジの係合部に係合された状態でイジェクトレバーが上記排出方向へ移動されることにより記録媒体カートリッジがホルダーから排出されるようにした。【選択図】図２３
2006179146.tif 000002
【特許請求の範囲】
【請求項１】
周面が略円弧状の円弧面と該円弧面の両端にそれぞれ連続する直線状の側面とを有し少なくとも一方の側面における円弧面に寄った位置に係合溝が形成され該係合溝内に係合部が設けられたケース体内に、記録媒体が収納されて成る記録媒体カートリッジが装着される記録媒体ドライブ装置であって、
挿入される記録媒体カートリッジの両側面に沿う一対の側面部を有し挿入された記録媒体カートリッジを保持するホルダーと、
上記記録媒体に対して情報信号の記録若しくは再生又はこれらの双方を行う記録再生部と、
該記録再生部が配置されたシャーシと、
上記ホルダーの一方の側面部に記録媒体カートリッジの挿入方向及びその反対方向である排出方向に移動自在に支持されたイジェクトレバーと、
該イジェクトレバーを上記排出方向へ付勢する付勢バネとを備え、
上記イジェクトレバーはホルダーの上記一方の側面部に支持される被支持面部と該被支持面部からホルダーの他方の側面部側に突出され記録媒体カートリッジがホルダーに挿入されたときに上記係合溝に挿入されて係合部に係合される係合突部とを有し、
記録媒体カートリッジがホルダーに挿入されたときに記録媒体カートリッジのホルダー内での移動に伴ってイジェクトレバーが上記挿入方向へ移動され、
係合突部が記録媒体カートリッジの係合部に係合された状態でイジェクトレバーが上記排出方向へ移動されることにより記録媒体カートリッジがホルダーから排出されるようにした
ことを特徴とする記録媒体ドライブ装置。
【請求項２】
上記記録媒体カートリッジの係合部に、ホルダーに対して記録媒体カートリッジを挿入する向きにおいて上記一方の側面から内側へ行くに従って排出方向へ変位する傾斜面を形成し、
イジェクトレバーの係合突部に、上記傾斜面に係合する傾斜部を設けた
ことを特徴とする請求項１に記載の記録媒体ドライブ装置。
【請求項３】
記録媒体カートリッジのケース体の上記一方の側面に係合凹部が形成され、
イジェクトレバーに上記一方の側面に離接する方向へ弾性変形可能な弾性変形部と該弾性変形部から上記一方の側面側へ突出された飛出防止突部とを設け、
ホルダーへの記録媒体カートリッジの挿入時に上記係合凹部に飛出防止突部を係合するようにした
ことを特徴とする請求項１に記載の記録媒体ドライブ装置。
【請求項４】
周面が略円弧状の円弧面と該円弧面の両端にそれぞれ連続する直線状の側面とを有し少なくとも一方の側面における円弧面に寄った位置に係合溝が形成され該係合溝内に係合部が設けられたケース体内に、記録媒体が収納されて成る記録媒体カートリッジが装着される記録媒体ドライブ装置を備えた電子機器であって、
挿入される記録媒体カートリッジの両側面に沿う一対の側面部を有し挿入された記録媒体カートリッジを保持するホルダーと、
上記記録媒体に対して情報信号の記録若しくは再生又はこれらの双方を行う記録再生部と、
該記録再生部が配置されたシャーシと、
上記ホルダーの一方の側面部に記録媒体カートリッジの挿入方向及びその反対方向である排出方向に移動自在に支持されたイジェクトレバーと、
該イジェクトレバーを上記排出方向へ付勢する付勢バネとを備え、
上記イジェクトレバーはホルダーの上記一方の側面部に支持される被支持面部と該被支持面部からホルダーの他方の側面部側に突出され記録媒体カートリッジがホルダーに挿入されたときに上記係合溝に挿入されて係合部に係合される係合突部とを有し、
記録媒体カートリッジがホルダーに挿入されたときに記録媒体カートリッジのホルダー内での移動に伴ってイジェクトレバーが上記挿入方向へ移動され、
係合突部が記録媒体カートリッジの係合部に係合された状態でイジェクトレバーが上記排出方向へ移動されることにより記録媒体カートリッジがホルダーから排出されるようにした
ことを特徴とする記録媒体ドライブ装置を備えた電子機器。
【請求項５】
上記記録媒体カートリッジの係合部に、ホルダーに対して記録媒体カートリッジを挿入する向きにおいて上記一方の側面から内側へ行くに従って排出方向へ変位する傾斜面を形成し、
イジェクトレバーの係合突部に、上記傾斜面に係合する傾斜部を設けた
ことを特徴とする請求項４に記載の記録媒体ドライブ装置を備えた電子機器。
【請求項６】
記録媒体カートリッジのケース体の上記一方の側面に係合凹部が形成され、
イジェクトレバーに上記一方の側面に離接する方向へ弾性変形可能な弾性変形部と該弾性変形部から上記一方の側面側へ突出された飛出防止突部とを設け、
ホルダーへの記録媒体カートリッジの挿入時に上記係合凹部に飛出防止突部を係合するようにした
ことを特徴とする請求項４に記載の記録媒体ドライブ装置を備えた電子機器。
【発明の詳細な説明】
【技術分野】
【０００１】
本発明は記録媒体ドライブ装置及びこれを備えた電子機器についての技術分野に関する。詳しくは、ホルダーに対する記録媒体カートリッジの挿入方向及び排出方向へ移動するイジェクトレバーを用いて小型化及び記録媒体カートリッジのホルダーからのイジェクト動作の信頼性の向上を図る技術分野に関する。
【背景技術】
【０００２】
ケース体内に記録媒体、例えば、ディスク状記録媒体が回転可能に収納されて成る記録媒体カートリッジの記録媒体に対して、情報信号の記録若しくは再生又はこれらの双方を行う記録媒体ドライブ装置がある。
【０００３】
記録媒体ドライブ装置には、記録媒体カートリッジを保持するホルダーが設けられ、ホルダーに記録媒体カートリッジが挿入されて保持された状態において記録媒体に対する情報信号の記録又は再生が行われる。
【０００４】
このような記録媒体カートリッジがホルダーに挿入されるタイプの記録媒体ドライブ装置にあっては、記録媒体に対する情報信号の記録又は再生が終了した後に、記録媒体カートリッジがイジェクトレバーによってホルダーから排出される。
【０００５】
従来の記録媒体ドライブ装置におけるイジェクトレバーは、シャーシ又はホルダーに回動自在に支持された状態でバネ部材によって一方の回動方向へ付勢され、バネ部材の付勢力によって上記一方の回動方向へ回動されたときに、記録媒体カートリッジのケース体の背面を押圧することにより記録媒体カートリッジをホルダーから排出するようにしている（例えば、特許文献１参照）。
【０００６】
【特許文献１】特開２００１−１７６２２２号公報
【発明の開示】
【発明が解決しようとする課題】
【０００７】
ところで、近年、記録媒体カートリッジとしては、扁平な略矩形状に形成されたタイプの他、ホルダーへの挿入方向側の略半部が扁平な半円状を為し反対側の略半部が扁平な略矩形状に形成されたタイプが開発されている。
【０００８】
ところが、このような半円状の形状を有する記録媒体カートリッジがホルダーに挿入される記録媒体ドライブ装置において、特許文献１に記載されたものと同様のイジェクトレバーを用いた場合には、以下のような不都合を生じる（図２４及び図２５参照）。
【０００９】
一般に、イジェクトレバーａは、配置スペースの効率化等の観点からシャーシｂ（又はホルダー）の左右一方の端部に配置されるが、記録媒体カートリッジｃがイジェクトレバーａによって押圧されたときに、図２４に示すように、記録媒体カートリッジｃに対する押圧点Ｑが左右方向における中央線Ｍより左右何れかの側にずれるため、押圧点Ｑにおける接線Ｓに直交するＰ方向へイジェクトレバーａからの力Ｆが付与される。従って、力Ｆのベクトル方向は排出方向Ａに一致されず、記録媒体カートリッジｃの円滑な排出が阻害される他、記録媒体カートリッジｃにホルダーの一方の側面部に押し付けられる力が付与されて記録媒体カートリッジｃがこの一方の側面部と摺接して傷付いてしまうおそれがある。
【００１０】
そこで、図２５に示すように、中央線Ｍ上の点が押圧点Ｑとなるようにイジェクトレバーａの長さを長くすることが考えられるが、この場合には、イジェクトレバーａを配置するためのスペースが大きくなり、記録媒体ドライブ装置の大型化を来たしてしまう。
【００１１】
そこで、本発明記録媒体ドライブ装置及びこれを備えた電子機器は、上記した問題点を克服し、小型化及び記録媒体カートリッジのホルダーからのイジェクト動作の信頼性の向上を図ることを課題とする。
【課題を解決するための手段】
【００１２】
本発明記録媒体ドライブ装置及びこれを備えた電子機器は、上記した課題を解決するために、挿入される記録媒体カートリッジの両側面に沿う一対の側面部を有し挿入された記録媒体カートリッジを保持するホルダーと、記録媒体に対して情報信号の記録若しくは再生又はこれらの双方を行う記録再生部と、該記録再生部が配置されたシャーシと、ホルダーの一方の側面部に記録媒体カートリッジの挿入方向及びその反対方向である排出方向に移動自在に支持されたイジェクトレバーと、該イジェクトレバーを上記排出方向へ付勢する付勢バネとを設け、イジェクトレバーに、ホルダーの上記一方の側面部に支持される被支持面部と該被支持面部からホルダーの他方の側面部側に突出され記録媒体カートリッジがホルダーに挿入されたときに上記係合溝に挿入されて係合部に係合される係合突部とを設け、記録媒体カートリッジがホルダーに挿入されたときに記録媒体カートリッジのホルダー内での移動に伴ってイジェクトレバーを上記挿入方向へ移動させ、係合突部が記録媒体カートリッジの係合部に係合された状態でイジェクトレバーが上記排出方向へ移動されることにより記録媒体カートリッジがホルダーから排出されるようにしたものである。
【００１３】
従って、本発明記録媒体ドライブ装置及びこれを備えた電子機器にあっては、イジェクトレバーがホルダーに対する記録媒体カートリッジの排出方向に移動されて記録媒体カートリッジがホルダーから排出される。
【発明の効果】
【００１４】
本発明記録媒体ドライブ装置は、周面が略円弧状の円弧面と該円弧面の両端にそれぞれ連続する直線状の側面とを有し少なくとも一方の側面における円弧面に寄った位置に係合溝が形成され該係合溝内に係合部が設けられたケース体内に、記録媒体が収納されて成る記録媒体カートリッジが装着される記録媒体ドライブ装置であって、挿入される記録媒体カートリッジの両側面に沿う一対の側面部を有し挿入された記録媒体カートリッジを保持するホルダーと、上記記録媒体に対して情報信号の記録若しくは再生又はこれらの双方を行う記録再生部と、該記録再生部が配置されたシャーシと、上記ホルダーの一方の側面部に記録媒体カートリッジの挿入方向及びその反対方向である排出方向に移動自在に支持されたイジェクトレバーと、該イジェクトレバーを上記排出方向へ付勢する付勢バネとを備え、上記イジェクトレバーはホルダーの上記一方の側面部に支持される被支持面部と該被支持面部からホルダーの他方の側面部側に突出され記録媒体カートリッジがホルダーに挿入されたときに上記係合溝に挿入されて係合部に係合される係合突部とを有し、記録媒体カートリッジがホルダーに挿入されたときに記録媒体カートリッジのホルダー内での移動に伴ってイジェクトレバーが上記挿入方向へ移動され、係合突部が記録媒体カートリッジの係合部に係合された状態でイジェクトレバーが上記排出方向へ移動されることにより記録媒体カートリッジがホルダーから排出されるようにしたことを特徴とする。
【００１５】
従って、ホルダーの一方の側面部に記録媒体カートリッジのホルダーに対する挿入方向及び排出方向に移動自在に支持され排出方向へ付勢されたイジェクトレバーによって記録媒体カートリッジを排出するようにしているため、記録媒体カートリッジのイジェクト動作の円滑化を図ることができる。
【００１６】
また、イジェクトを行うための機構が小型であるため配置スペースを小さくすることができ、その分、記録媒体ドライブ装置の小型化を図ることができる。
【００１７】
請求項２に記載した発明にあっては、上記記録媒体カートリッジの係合部に、ホルダーに対して記録媒体カートリッジを挿入する向きにおいて上記一方の側面から内側へ行くに従って排出方向へ変位する傾斜面を形成し、イジェクトレバーの係合突部に、上記傾斜面に係合する傾斜部を設けたので、該傾斜部によって係合部が囲われるように押さえられ、記録媒体カートリッジのホルダーに対する挿入時及び排出時に係合突部の係合部に対する係合状態が解除されることがなく、記録媒体カートリッジのホルダーに対する挿入時及び排出時における動作の信頼性の向上を図ることができる。
【００１８】
請求項３に記載した発明にあっては、記録媒体カートリッジのケース体の上記一方の側面に係合凹部が形成され、イジェクトレバーに上記一方の側面に離接する方向へ弾性変形可能な弾性変形部と該弾性変形部から上記一方の側面側へ突出された飛出防止突部とを設け、ホルダーへの記録媒体カートリッジの挿入時に上記係合凹部に飛出防止突部を係合するようにしたので、記録媒体カートリッジの全体が飛び出してしまうことがなく記録媒体カートリッジの損傷を防止することができると共に記録媒体カートリッジのイジェクト時における使い勝手の向上を図ることができる。
【００１９】
本発明記録媒体ドライブ装置を備えた電子機器は、周面が略円弧状の円弧面と該円弧面の両端にそれぞれ連続する直線状の側面とを有し少なくとも一方の側面における円弧面に寄った位置に係合溝が形成され該係合溝内に係合部が設けられたケース体内に、記録媒体が収納されて成る記録媒体カートリッジが装着される記録媒体ドライブ装置を備えた電子機器であって、挿入される記録媒体カートリッジの両側面に沿う一対の側面部を有し挿入された記録媒体カートリッジを保持するホルダーと、上記記録媒体に対して情報信号の記録若しくは再生又はこれらの双方を行う記録再生部と、該記録再生部が配置されたシャーシと、上記ホルダーの一方の側面部に記録媒体カートリッジの挿入方向及びその反対方向である排出方向に移動自在に支持されたイジェクトレバーと、該イジェクトレバーを上記排出方向へ付勢する付勢バネとを備え、上記イジェクトレバーはホルダーの上記一方の側面部に支持される被支持面部と該被支持面部からホルダーの他方の側面部側に突出され記録媒体カートリッジがホルダーに挿入されたときに上記係合溝に挿入されて係合部に係合される係合突部とを有し、記録媒体カートリッジがホルダーに挿入されたときに記録媒体カートリッジのホルダー内での移動に伴ってイジェクトレバーが上記挿入方向へ移動され、係合突部が記録媒体カートリッジの係合部に係合された状態でイジェクトレバーが上記排出方向へ移動されることにより記録媒体カートリッジがホルダーから排出されるようにしたことを特徴とする。
【００２０】
従って、ホルダーの一方の側面部に記録媒体カートリッジのホルダーに対する挿入方向及び排出方向に移動自在に支持され排出方向へ付勢されたイジェクトレバーによって記録媒体カートリッジを排出するようにしているため、記録媒体カートリッジのイジェクト動作の円滑化を図ることができる。
【００２１】
また、イジェクトを行うための機構が小型であるため配置スペースを小さくすることができ、その分、電子機器の小型化を図ることができる。
【００２２】
請求項５に記載した発明にあっては、上記記録媒体カートリッジの係合部に、ホルダーに対して記録媒体カートリッジを挿入する向きにおいて上記一方の側面から内側へ行くに従って排出方向へ変位する傾斜面を形成し、イジェクトレバーの係合突部に、上記傾斜面に係合する傾斜部を設けたので、該傾斜部によって係合部が囲われるように押さえられ、記録媒体カートリッジのホルダーに対する挿入時及び排出時に係合突部の係合部に対する係合状態が解除されることがなく、記録媒体カートリッジのホルダーに対する挿入時及び排出時における動作の信頼性の向上を図ることができる。
【００２３】
請求項６に記載した発明にあっては、記録媒体カートリッジのケース体の上記一方の側面に係合凹部が形成され、イジェクトレバーに上記一方の側面に離接する方向へ弾性変形可能な弾性変形部と該弾性変形部から上記一方の側面側へ突出された飛出防止突部とを設け、ホルダーへの記録媒体カートリッジの挿入時に上記係合凹部に飛出防止突部を係合するようにしたので、記録媒体カートリッジの全体が飛び出してしまうことがなく記録媒体カートリッジの損傷を防止することができると共に記録媒体カートリッジのイジェクト時における使い勝手の向上を図ることができる。
【発明を実施するための最良の形態】
【００２４】
以下に、本発明記録媒体ドライブ装置及びこれを備えた電子機器の最良の形態を添付図面に従って説明する。尚、以下に示した最良の形態は、本発明電子機器を携帯用のゲーム機器に適用し、本発明記録媒体ドライブ装置をこの携帯用のゲーム機器に備えられた記録媒体ドライブ装置に適用したものである。
【００２５】
尚、本発明記録媒体ドライブ及び電子機器の適用範囲は、携帯用のゲーム機器及びこれに備えられた記録媒体ドライブ装置に限られることはなく、本発明電子機器は、記録媒体を扱う各種の電子機器、例えば、パーソナルコンピューター等の情報処理装置、電話器やファクシミリ等に代表される通信用装置、ＰＤＡ（Personal Digital Assistant）等の情報端末装置、スチルカメラや電子カメラやビデオカメラ等の撮像装置、テレビやラジオ等の視聴用の機器、ディスク状記録媒体やテープカセット等の各種の記録媒体を扱う記録用の機器や音響機器等に広く適用することができ、本発明記録媒体ドライブ装置は、こられの各種の電子機器において扱われる記録媒体について情報信号の記録若しくは再生又はこれらの双方を行う記録媒体ドライブ装置に広く適用することができる。
【００２６】
先ず、記録媒体カートリッジについて説明する（図１乃至図３参照）。
【００２７】
記録媒体カートリッジ１００は扁平なケース体１０１内に記録媒体２００が回転可能に収納されて成る。
【００２８】
ケース体１０１はアッパーシェル１０２とロアーシェル１０３とが上下で結合されて成る（図２及び図３参照）。ケース体１０１は後述するホルダーに対する挿入方向（図２に示すＡ方向）における半部が略半円形状に形成され、その周面が円弧状に形成された円弧面１０１ａとして形成されている。ケース体１０１の上記挿入方向と反対方向であるホルダーからの排出方向（図２に示すＢ方向）における半部は横長の形状に形成され、円弧面１０１ａの両端に連続する面がそれぞれ挿入方向に延びる側面１０１ｂ、１０１ｃとして形成されている。側面１０１ｂと側面１０１ｃの挿入方向と反対方向における端部間の周面は、緩やかな凸曲面を為す曲面１０１ｄとして形成されている。
【００２９】
ケース体１０１の円弧面１０１ａから左側の側面１０１ｂに跨った位置には係合溝１０４が形成されている（図１及び図２参照）。係合溝１０４の側面１０１ｂ側の開口縁１０４ａは円弧面１０１ａと側面１０１ｂの略連続部分に位置されている。
【００３０】
係合溝１０４内には開口縁１０４ａに連続して係合部１０５が設けられている（図１の拡大図参照）。係合部１０５は開口縁１０４ａに連続し上記挿入方向を向く平面１０５ａと該平面１０５ａに連続し平面１０５ａからケース体１０１の内部へ行くに従って上記排出方向へ変位する傾斜面１０５ｂとを有している。
【００３１】
ケース体１０１には、図３に示すように、その下面の中央部にテーブル挿入孔１０１ｅが形成され、下面におけるテーブル挿入孔１０１ｅの側面１０１ｃ側の部分には後述する光ピックアップに設けられた発光部から出射されるレーザー光を透過するための光透過孔１０１ｆが形成されている。
【００３２】
ケース体１０１の下面には、曲面１０１ｄの近傍の位置に左右に離隔して位置決め穴１０１ｇ、１０１ｇが形成されている。
【００３３】
側面１０１ｂの上記挿入方向における略中央部には、係合凹部１０１ｈが形成されている。係合凹部１０１ｈは側方及び下方に開口されている。
【００３４】
ケース体１０１の内部に収納された記録媒体２００の中心部には、磁性金属材料から成るコア２０１が取り付けられ（図３参照）、該コア２０１はケース体１０１のテーブル挿入孔１０１ｅに対応して位置されている。
【００３５】
次に、電子機器について説明する。
【００３６】
電子機器（ゲーム機器）１は、例えば、扁平な横長の形状に形成され（図４乃至図６参照）、外筐２内に所要の各部が配置されて成る。
【００３７】
外筐２の前面２ａの中央部には表示部３が配置され、前面２ａの左右両端部にはそれぞれ複数の操作釦４、４、・・・が配置されている（図４参照）。外筐２の後面２ｂの左右方向における中央部は蓋部５として設けられ、開閉可能とされている（図５及び図６参照）。蓋部５は、例えば、その下端部を支点として回動することにより開閉され、閉塞位置において図示しないロック機構によってロックされる。
【００３８】
外筐２の内部には記録媒体ドライブ装置６が設けられている（図７及び図８参照）。記録媒体ドライブ装置６はシャーシ７と該シャーシ７に配置された所要の各部とシャーシ７に回動自在に支持されたホルダー８と駆動回路を含む各種の回路とによって構成されている。
【００３９】
尚、以下の記録媒体ドライブ装置６の説明にあっては、便宜上、ホルダー８に記録媒体カートリッジ１００を挿入する方向を後方、挿入された記録媒体カートリッジ１００をホルダー８から取り出す方向を前方、ホルダー８の位置を上、シャーシ７の位置を下として説明する。
【００４０】
シャーシ７は、例えば、板状の金属材料によって各部が一体に形成されて成り、略正方形状に形成されたベース部９と該ベース部９の後端部の左右両側縁からそれぞれ上方へ突出された支持突部１０、１０とベース部９の前後両端部を除く部分の左右両側縁からそれぞれ上方へ突出された側板部１１、１１とを有している。支持突部１０、１０には、それぞれ側方へ突出された支持軸１０ａ、１０ａが設けられている。
【００４１】
ベース部９の中央部にはテーブル配置孔９ａが形成され、その右方にピックアップ配置孔９ｂがテーブル配置孔９ａに連続して形成されている。ベース部９の後端部にはモーター配置孔９ｃが形成されている。
【００４２】
ベース部９上には前後左右に離隔して４つの受け台部１２、１２、・・・が設けられている。前方に位置する２つの受け台部１２、１２上には位置決めピン１３、１３が設けられ、該位置決めピン１３、１３の外径は受け台部１２、１２の外径より小さくされている。
【００４３】
ベース部９の略４隅の位置にはそれぞれダンパー取付部１４、１４、・・・が設けられている。ダンパー取付部１４、１４、・・・には、それぞれ取付用切欠１４ａ、１４ａ、・・・が形成され、該取付用切欠１４ａ、１４ａ、・・・は前方又は後方に開口されている。
【００４４】
シャーシ７の左側の側板部１１における後端寄りの位置には、上方へ突出されたロック解除片１５が設けられている。ロック解除片１５は、図９に示すように、上下に延びる垂直部１５ａと該垂直部１５ａの上端部から前方へ突出されたロック解除突部１５ｂとから成る。ロック解除片１５の上端部は左方へ傾斜するように折り曲げられ、この折り曲げられた部分が案内部１５ｃとされている。ロック解除突部１５ｂの下縁は解除用作用縁１５ｄとして形成されている。
【００４５】
ベース部９のテーブル配置孔９ａにはディスクテーブル１６が配置される（図７及び図８参照）。ディスクテーブル１６はテーブル部１６ａと該テーブル部１６ａの中央部に設けられたセンターリング突部１６ｂとを有し、図示しないスピンドルモーターのモーター軸に固定されている。センターリング突部１６ｂには図示しないマグネットが設けられている。スピンドルモーターはこれに取り付けられた基板１７がテーブル配置孔９ａの開口縁に取り付けられることによりベース部９に固定され、ディスクテーブル１６はテーブル配置孔９ａから上方へ突出された状態で配置される。ディスクテーブル１６はスピンドルモーターの回転に伴って回転される。
【００４６】
ベース部９のピックアップ配置孔９ｂには光ピックアップ１８が配置される。光ピックアップ１８、上記ディスクテーブル１６及びスピンドルモーターは記録媒体カートリッジ１００の記録媒体２００に対して情報信号の記録若しくは再生又はこれらの双方を行う記録再生部を構成する。
【００４７】
光ピックアップ１８は移動ベース１９と該移動ベース１９上に支持された対物レンズ駆動装置２０とを有している。移動ベース１９には軸受部１９ａ、１９ｂが設けられ、軸受部１９ａにリードスクリュー２１が挿通されて螺合され、軸受部１９ｂがガイド軸２２に支持されている。リードスクリュー２１の先端部にはウォーム２３が固定されている。
【００４８】
光ピックアップ１８は、リードスクリュー２１がベース部９の下面側において回転自在に支持されると共にガイド軸２２がベース部９の下面側において固定されることにより、ピックアップ配置孔９ｂに配置され、該ピックアップ配置孔９ｂ内においてリードスクリュー２１の回転によってガイド軸２２に案内されてシャーシ７に対して移動可能とされる。
【００４９】
ベース部９のモーター配置孔９ｃには駆動モーター２４が配置される。駆動モーター２４にはそれぞれ側方へ突出された被取付部２５、２５が設けられ、駆動モーター２４の下面側にはそのモーター軸に固定された駆動ギヤ２６が配置されている。駆動モーター２４にはフレキシブルプリント配線板２７が接続され、該フレキシブルプリント配線板２７を介して図示しない駆動回路から駆動モーター２４に駆動電流が供給される。
【００５０】
駆動モーター２４は被取付部２５、２５がシャーシ７に取り付けられることによりモーター配置孔９ｃに配置される。
【００５１】
ベース部９の下面側には支持軸２８を介して伝達ギヤ２９が支持される。伝達ギヤ２９は駆動ギヤ２６及びリードスクリュー２１に固定されたウォーム２３に噛合されている。従って、駆動モーター２４の駆動力が駆動ギヤ２６、伝達ギヤ２９及びウォーム２３を介してリードスクリュー２１に伝達され、駆動モーター２４の回転方向に応じた方向へ光ピックアップ１８が移動される。
【００５２】
ホルダー８は、例えば、板状の金属材料によって各部が一体に形成されて成り、図７に示すように、略正方形状に形成された連結面部３０と、該連結面部３０の左右両側縁からそれぞれ垂設された側面部３１、３２と、該側面部３１、３２の下縁から互いに近付く方向へ突出された突出面部３３、３４と、該突出面部３３、３４の前縁からそれぞれ垂設された受け面部３５、３５とから成る。
【００５３】
ホルダー８には連結面部３０、側面部３１、３２及び突出面部３３、３４によって囲まれた空間が形成され、ホルダー８の前端の開口が記録媒体カートリッジ１００が挿入される挿入口３６とされている。
【００５４】
ホルダー８の側面部３１、３２の後端部には、それぞれ被支持孔３１ａ、３２ａが形成されている。
【００５５】
左側の側面部３１の前寄りの位置には前後に離隔してそれぞれ前後に長い第１の突部挿通孔３１ｂと第２の突部挿通孔３１ｃが形成されている（図７、図１０参照）。側面部３１の前端部には、突部挿通孔３１ｂの下側開口縁から外方へ突出されたバネ掛け片３１ｄが設けられている。側面部３１の後端寄りの位置には外方へ突出されたロック片部３１ｅが設けられている。
【００５６】
側面部３１にはイジェクトレバー３７が前後方向、即ち、ホルダー８に対する記録媒体カートリッジ１００の挿入方向及び排出方向にスライド自在に支持されている（図１０及び図１１参照）。
【００５７】
イジェクトレバー３７は板状の材料によって前後に長く形成され、長手方向における中央部と後端側の位置にそれぞれ前後に長い被支持孔３８、３９が形成されている。
【００５８】
前側の被支持孔３８は、幅が一定とされている。後側の被支持孔３９は、その前半部が前方へ行くに従って幅が大きくなる変位部３９ａとして形成され、後半部は幅が一定とされた無変位部３９ｂとして形成されている。
【００５９】
イジェクトレバー３７の被支持孔３８、３９が形成された部分は被支持面部４０として設けられ、イジェクトレバー３７の被支持面部４０より前側の部分は弾性変形部４１として設けられている。弾性変形部４１は被支持面部４０に対して左右方向へ弾性変形可能とされている。弾性変形部４１の前端部は右方へ凸の円弧状に形成され、飛出防止突部４１ａとされている。
【００６０】
イジェクトレバー３７には右方へ突出された係合突部４２が設けられている。係合突部４２は被支持面部４０の前端部に設けられ、この前端部から右方へ突出された平面部４２ａと該平面部４２ａに連続し平面部４２ａから右方へ行くに従って前方へ変位する傾斜部４２ｂとを有している。
【００６１】
イジェクトレバー３７には、係合突部４２の略上側の位置に左方へ突出されたバネ掛け突部４３が設けられている。
【００６２】
イジェクトレバー３７の後端寄りの位置には、その上縁に上方に開口されたロック用凹部４４が形成され、下縁に左方へ突出された作用片４５が設けられている。イジェクトレバー３７のロック用凹部４４の後方に位置する上縁は、後方へ行くに従って下方へ変位するように傾斜された傾斜縁３７ａとして形成されている。
【００６３】
イジェクトレバー３７は、被支持孔３８、３９にそれぞれ支持ピン４６、４７が挿入され、該支持ピン４６、４７がホルダー８の側面部３１に取り付けられることにより、該側面部３１にスライド自在に支持される（図８及び図１１参照）。
【００６４】
イジェクトレバー３７が側面部３１に支持された状態において、側面部３１に設けられたバネ掛け片３１ｄとイジェクトレバー３７のバネ掛け突部４３との間に付勢バネ４８が支持される。付勢バネ４８は引張コイルバネであり、付勢バネ４８によってイジェクトレバー３７がホルダー８に対して前方へ付勢される。
【００６５】
このときバネ掛け片３１ｄが側面部３１の下端寄りの位置に設けられ、バネ掛け突部４３がイジェクトレバー３７の上端寄りの位置に設けられているため、イジェクトレバー３７は付勢バネ４８によって前側の支持ピン４６を支点として前端部が略下方へ向かい後端部が略上方へ向かう回動力（図１２に示すＲ方向）も付与される。
【００６６】
イジェクトレバー３７が側面部３１に支持された状態においては、飛出防止突部４１ａと係合突部４２がそれぞれ側面部３１の第１の突部挿通孔３１ｂと第２の突部挿通孔３１ｃからホルダー８の内部に突出される。
【００６７】
突出面部３３、３４には、その前端部にそれぞれ突部挿通孔３３ａ、３４ａが形成されている（図７参照）。
【００６８】
突出面部３３、３４の上面間には突出防止部材４９が取り付けられている。突出防止部材４９は左右方向に長く形成され、記録媒体カートリッジ１００がホルダー８に挿入されたときに、記録媒体カートリッジ１００の突出面部３３、３４間からの下方への突出を防止する機能を有する。
【００６９】
ホルダー８は、側面部３１、３２の後端部に形成された被支持孔３１ａ、３２ａにそれぞれシャーシ７の後端部に設けられた支持突部１０、１０の支持軸１０ａ、１０ａが挿入され、該支持軸１０ａ、１０ａを支点としてシャーシ７に回動自在に支持される。
【００７０】
シャーシ７のダンパー取付部１４、１４、・・・にはそれぞれダンパー５０、５０、・・・が取り付けられる。ダンパー５０、５０、・・・はダンパー取付部１４、１４、・・・の取付用切欠１４ａ、１４ａ、・・・に後方又は前方から挿入され、取付ネジ５１、５１・・・によって、外筐２の内部に固定される。
【００７１】
以下に、記録媒体カートリッジ１００がホルダー８に挿入されるとき及び記録媒体カートリッジ１００がホルダー８から排出されるときの動作について説明する（図６、図１２乃至図２３参照）。
【００７２】
電子機器１の蓋部５を開放すると、図６に示すように、同時にホルダー８がシャーシ７に対して回動され記録媒体カートリッジ１００の挿入が可能な状態となる。
【００７３】
記録媒体カートリッジ１００がホルダー８に挿入される前の状態においては、図１２に示すように、イジェクトレバー３７が付勢バネ４８の付勢力によって前方側の移動端にあり、ホルダー８のロック片部３１ｅの前方に位置されている。このときイジェクトレバー３７の飛出防止部４１ａと係合突部４２は、それぞれホルダー８の第１の突部挿通孔３１ｂと第２の突部挿通孔３１ｃの前端部に対応して位置されている。
【００７４】
記録媒体カートリッジ１００がホルダー８内に挿入されると、図１３に示すように、記録媒体カートリッジ１００の側面１０１ｂがイジェクトレバー３７の飛出防止突部４１ａに摺接され、弾性変形部４１が弾性変形されて飛出防止突部４１ａがホルダー８の外側へ突出される。このときイジェクトレバー３７は前後方向へ移動されない。
【００７５】
引き続き記録媒体カートリッジ１００がホルダー８内に挿入されていくと、記録媒体カートリッジ１００の係合凹部１０１ｈが飛出防止突部４１ａに対応して位置され、弾性変形部４１が弾性復帰して飛出防止突部４１ａが係合凹部１０１ｈに挿入されて係合される（図１４参照）。飛出防止突部４１ａが係合凹部１０１ｈに挿入されたときには、同時に、記録媒体カートリッジ１００の係合溝１０４にイジェクトレバー３７の係合突部４２が挿入されて、該係合突部４２に係合部１０５が当接される。
【００７６】
さらに記録媒体カートリッジ１００がホルダー８内に挿入されていくと、係合部１０５によって係合突部４２が後方へ押圧され、記録媒体カートリッジ１００の後方への移動に伴ってイジェクトレバー３７が付勢バネ４８の付勢力に抗して後方へ移動される。
【００７７】
イジェクトレバー３７が後方へ移動されると、傾斜縁３７ａがホルダー８のロック片部３１ｅと摺接される（図１５参照）。このとき後側の支持ピン４７がイジェクトレバー３７の後側の被支持孔３９の変位部３９ａ内に位置されており、傾斜縁３７ａのロック片部３１ｅに対する摺接に伴ってイジェクトレバー３７が前側の支持ピン４６を支点として後端部が略下方へ移動する方向へ回動される。上記したように、イジェクトレバー３７は付勢バネ４８によって前側の支持ピン４６を支点として前端部が略下方へ向かい後端部が略上方へ向かう方向へも付勢されているため、傾斜縁３７ａのロック片部３１ｅに対する摺接に伴うイジェクトレバー３７の回動動作は、付勢バネ４８の付勢力に抗して行われる。
【００７８】
さらにイジェクトレバー３７が後方へ移動されると、イジェクトレバー３７のロック用凹部４４にロック片部３１ｅが対応して位置され、付勢バネ４８の付勢力によってイジェクトレバー３７は後端部が略上方へ移動する方向へ回動され、ロック片部３１ｅがロック用凹部４４に係合されてイジェクトレバー３７がホルダー８に対してロックされる（図１６参照）。
【００７９】
イジェクトレバー３７がホルダー８に対してロックされたときには、イジェクトレバー３７が後方側の移動端まで移動されており、記録媒体カートリッジ１００のホルダー８への挿入が完了する（図１７参照）。
【００８０】
続いて、記録媒体カートリッジ１００が挿入されたホルダー８をシャーシ７に対して回動する。ホルダー８の回動は蓋部５をシャーシ７側へ押圧することにより行う。
【００８１】
ホルダー８は支持突部１０、１０に設けられた支持軸１０ａ、１０ａを支点として回動され、この回動動作に伴ってイジェクトレバー３７の作用片４５がシャーシ７に設けられたロック解除片１５の案内部１５ｃに摺接される（図１８参照）。
【００８２】
ホルダー８がさらに回動されると、作用片４５がロック解除片１５の案内部１５ｃに案内されて下方へ移動され、このときロック解除片１５が左方へ傾くように弾性変形される（図１９参照）。
【００８３】
さらにホルダー８が回動されると、作用片４５がロック解除片１５のロック解除突部１５ｂの下方まで移動され、作用片４５が解除用作用縁１５ｄの下方に位置される（図２０参照）。
【００８４】
作用片４５が解除用作用縁１５ｄの下方に位置されたところで、ロック機構によって蓋部５がロックされ、ホルダー８の回動動作が完了する。ホルダー８は蓋部５がロックされることによりシャーシ７に対して最も近付いた位置に保持される。
【００８５】
ホルダー８の回動動作が完了するときには、同時に、記録媒体カートリッジ１００のケース体１０１に形成された位置決め穴１０１ｇ、１０１ｇにそれぞれシャーシ７に設けられた位置決めピン１３、１３がホルダー８の突部挿通孔３３ａ、３４ａを介して挿入され、記録媒体カートリッジ１００のシャーシ７に対する位置決めが行われる。このときケース体１０１のテーブル挿入孔１０１ｅにはディスクテーブル１６が挿入され、センターリング突部１６ｂに設けられたマグネットに記録媒体２００のコア２０１が吸着され記録媒体２００がディスクテーブル１６に装着される。
【００８６】
記録媒体カートリッジ１００は、ケース体１０１の下面がシャーシ７に設けられた受け台部１２、１２、・・・に接した状態で保持される。
【００８７】
ディスクテーブル１６に装着された記録媒体２００は、ディスクテーブル１６に伴って回転され、光ピックアップ１８の駆動により記録媒体２００に対する情報信号の記録又は再生が行われる。
【００８８】
記録媒体２００に対する情報信号の記録又は再生が終了し、再び、蓋部５が開放されると、ホルダー８がシャーシ７から離隔する側へ回動されディスクテーブル１６への記録媒体２００の装着が解除される。
【００８９】
ホルダー８がシャーシ７から離隔する側へ回動されると、ロック解除片１５のロック解除突部１５ｂの下方に位置されているイジェクトレバー３７の作用片４５が解除用作用縁１５ｄに接触される。このとき支持ピン４７はイジェクトレバー３７の被支持孔３９の変位部３９ａ内に位置されている。
【００９０】
さらにホルダー８がシャーシ７から離隔する側へ回動されると、ロック解除片１５のロック解除突部１５ｂの下方に位置されているイジェクトレバー３７の作用片４５が解除用作用縁１５ｄに接触される。
【００９１】
ホルダー８がさらにシャーシ７から離隔する側へ回動されると、ロック解除片１５の作用片４５に対する接触により、ホルダー８の移動に伴うイジェクトレバー３７の移動が規制され、該イジェクトレバー３７は支持ピン４６を支点として後端部が下方へ移動される方向へホルダー８に対して相対的に回動される（図２１参照）。イジェクトレバー３７のホルダー８に対する相対的な回動により、ホルダー８のロック片部３１ｅとイジェクトレバー３７のロック用凹部４４との係合が解除され、イジェクトレバー３７のホルダー８に対するロックが解除される。
【００９２】
イジェクトレバー３７のホルダー８に対するロックが解除されると、イジェクトレバー３７が付勢バネ４８の付勢力によって前方へ移動され、イジェクトレバー３７の係合突部４２によって記録媒体カートリッジ１００の係合部１０５が押圧され、イジェクトレバー３７の移動に伴って記録媒体カートリッジ１００が前方へ移動される。
【００９３】
イジェクトレバー３７の前方への移動とホルダー８の回動動作の完了は略同時に行われ、イジェクトレバー３７に伴って前方へ移動された記録媒体カートリッジ１００は、一部が外筐２の内部から外方へ突出される（図２２参照）。このときイジェクトレバー３７の飛出防止突部４１ａは依然として記録媒体カートリッジ１００の係合凹部１０１ｈに挿入されて係合されており（図２３参照）、記録媒体カートリッジ１００のホルダー８からの不必要な飛出が防止される。
【００９４】
このように、電子機器１にあっては、イジェクトレバー３７の飛出防止突部４１ａの記録媒体カートリッジ１００の係合凹部１０１ｈに対する係合により、記録媒体カートリッジ１００のホルダー８からの不必要な飛出が防止されるため、記録媒体カートリッジ１００の全体が外筐２から飛び出してしまうことがなく記録媒体カートリッジ１００の損傷を防止することができると共に記録媒体カートリッジ１００のイジェクト時における使い勝手の向上を図ることができる。
【００９５】
また、飛出防止突部４１ａはイジェクトレバー３７の一部として設けられているため、別に専用の飛出防止部材を設ける必要がなく、部品点数の削減及び機構の簡素化を図ることができる。
【００９６】
使用者は、記録媒体カートリッジ１００をホルダー８から引き抜くことにより、記録媒体カートリッジ１００を外筐２内から取り出すことができる。記録媒体カートリッジ１００がホルダー８から引き抜かれるときには、弾性変形部４１が弾性変形されて飛出防止突部４１ａがホルダー８の外側へ突出された後、弾性変形部４１が弾性復帰して飛出防止突部４１ａがホルダー８の内方へ突出された元の状態に戻る。
【００９７】
以上に記載した通り、電子機器１にあっては、ホルダー８の一方の側面部３１に記録媒体カートリッジ１００のホルダー８に対する挿入方向及び排出方向に移動自在に支持され排出方向へ付勢されたイジェクトレバー３７によって記録媒体カートリッジ１００を排出するようにしているため、記録媒体カートリッジ１００のイジェクト動作の円滑化を図ることができる。
【００９８】
また、イジェクトを行うための機構が小型であるため配置スペースを小さくすることができ、その分、電子機器１の小型化を図ることができる。
【００９９】
さらに、イジェクトレバー３７の係合突部４２は平面部４２ａが係合部１０５の平面１０５ａに当接し、傾斜部４２ｂが係合部１０５の傾斜面１０５ｂに当接するため、傾斜部４２ｂによって係合部１０５が囲われるように押さえられ、例えば、記録媒体カートリッジ１００に右方へ移動する方向への力が作用した場合においても、係合突部４２の係合部１０５に対する係合状態が解除されることがなく、記録媒体カートリッジ１００のホルダー８に対する挿入時及び排出時における動作の信頼性の向上を図ることができる。
【０１００】
尚、上記には、ケース体１０１に光透過孔１０１ｆを開閉するシャッターを有しない記録媒体カートリッジ１００が用いられた例について説明したが、使用される記録媒体カートリッジはシャッターを有しない記録媒体カートリッジ１００に限られることはなく、シャッターを有する記録媒体カートリッジが用いられてもよい。シャッターを有する記録媒体カートリッジが用いられた場合には、シャッターは、ホルダー８への挿入時に図示しないシャッター開閉機構によって開放され、ホルダー８からの排出時にシャッター開閉機構によって閉塞される。
【０１０１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０２】
【図１】図２乃至図２３と共に本発明を実施するための最良の形態を示すものであり、本図は記録媒体カートリッジの拡大平面図である。
【図２】記録媒体カートリッジの拡大斜視図である。
【図３】記録媒体カートリッジの背面側を示す拡大斜視図である。
【図４】電子機器の斜視図である。
【図５】電子機器の背面側を示す斜視図である。
【図６】蓋部が開放された状態で示す電子機器の斜視図である。
【図７】記録媒体ドライブ装置の分解斜視図である。
【図８】記録媒体ドライブ装置の斜視図である。
【図９】ロック解除片の拡大斜視図である。
【図１０】要部の拡大分解斜視図である。
【図１１】要部の拡大斜視図である。
【図１２】図１３乃至図２３と共に記録媒体カートリッジがホルダーに挿入されるとき及びホルダーから取り出されるときの動作を示すものであり、本図は、記録媒体カートリッジがホルダーに挿入される前の状態を示す拡大側面図である。
【図１３】ホルダーに記録媒体カートリッジが挿入されイジェクトレバーの弾性変形部が変形されている状態を示す拡大断面図である。
【図１４】ホルダーに記録媒体カートリッジが挿入されイジェクトレバーの飛出防止突部が記録媒体カートリッジの係合凹部に係合された状態を示す拡大断面図である。
【図１５】イジェクトレバーの傾斜縁がホルダーのロック片部に摺接されている状態を示す拡大側面図である。
【図１６】イジェクトレバーがホルダーにロックされた状態を示す拡大側面図である。
【図１７】ホルダーへの記録媒体カートリッジの挿入が完了した状態を一部を断面にして示す拡大平面図である。
【図１８】イジェクトレバーの作用片がロック解除片の案内部に接した状態を一部を断面にして示す拡大図である。
【図１９】イジェクトレバーの作用片がロック解除片のロック解除突部に摺接している状態を一部を断面にして示す拡大図である。
【図２０】ホルダーの回動動作が完了した状態を示す拡大側面図である。
【図２１】イジェクトレバーのホルダーに対するロックが解除された状態を示す拡大側面図である。
【図２２】記録媒体カートリッジのイジェクトが完了した状態を示す拡大側面図である。
【図２３】記録媒体カートリッジのイジェクトが完了した状態を一部を断面にして示す拡大平面図である。
【図２４】従来の問題点を示す概略図である。
【図２５】従来の別の問題点を示す概略図である。
【符号の説明】
【０１０３】
１…電子機器、６…記録媒体ドライブ装置、７…シャーシ、８…ホルダー、１６…ディスクテーブル（記録再生部）、１８…光ピックアップ（記録再生部）、３７…イジェクトレバー、４０…被支持面部、４１…弾性変形部、４１ａ…飛出防止突部、４２…係合突部、４２ｂ…傾斜部、４８…付勢バネ、１００…記録媒体カートリッジ、１０１…ケース体、１０１ａ…円弧面、１０１ｂ…側面、１０１ｃ…側面、１０４…係合溝、１０５…係合部、１０５ｂ…傾斜面、２００…記録媒体
【図１】
2006179146.tif 000003
【図２】
2006179146.tif 000004
【図３】
2006179146.tif 000005
【図４】
2006179146.tif 000006
【図５】
2006179146.tif 000007
【図６】
2006179146.tif 000008
【図７】
2006179146.tif 000009
【図８】
2006179146.tif 000010
【図９】
2006179146.tif 000011
【図１０】
2006179146.tif 000012
【図１１】
2006179146.tif 000013
【図１２】
2006179146.tif 000014
【図１３】
2006179146.tif 000015
【図１４】
2006179146.tif 000016
【図１５】
2006179146.tif 000017
【図１６】
2006179146.tif 000018
【図１７】
2006179146.tif 000019
【図１８】
2006179146.tif 000020
【図１９】
2006179146.tif 000021
【図２０】
2006179146.tif 000022
【図２１】
2006179146.tif 000023
【図２２】
2006179146.tif 000024
【図２３】
2006179146.tif 000025
【図２４】
2006179146.tif 000026
【図２５】
2006179146.tif 000027